(57)【要約】【課題】水位を容易に確保でき、髪の毛をまとめやすいヘアキャッチャーを提供すること。【解決手段】周囲から洗い場排水口１０１ａに向かう水が流入する本体部１０を有するヘアキャッチャー１であって、本体部１０は、本体部１０の上方から下方へ延び互いに隣接して設けられる複数の縦リブ２１及び該複数の縦リブ２１の間に形成される複数の排水開口２３を有する排水部２と、本体部１０に流入した水の一部を貯水する貯水部３と、を有し、縦リブ２１は、所定幅を有し縦リブ２１の長手方向に沿って延びる平面部２１１及び長手方向に沿って形成され本体部１０の内面側に向かって突出する突出部２４を有するヘアキャッチャー１である。【選択図】図３
2018053693.tif 000002
【特許請求の範囲】
【請求項１】
周囲から排水口に向かう水が流入する本体部を有するヘアキャッチャーであって、
前記本体部は、
該本体部の上方から下方へ延び互いに隣接して設けられる複数の縦リブ及び該複数の縦リブの間に形成される複数の開口を有する排水部と、
前記本体部に流入した水の一部を貯水する貯水部と、を有し、
前記縦リブは、所定幅を有し該縦リブの長手方向に沿って延びる平面部及び長手方向に沿って形成され前記本体部の内面側に向かって突出する突出部を有するヘアキャッチャー。
【請求項２】
前記突出部は、前記平面部の幅方向の少なくとも一方の端部側に形成される請求項１に記載のヘアキャッチャー。
【請求項３】
前記突出部は、前記平面部から前記本体部の内面側に向かって湾曲しながら突出する請求項１又は２に記載のヘアキャッチャー。
【請求項４】
前記縦リブは、前記本体部の周方向の一方側へ傾斜している請求項１〜３のいずれか１項に記載のヘアキャッチャー。
【請求項５】
前記複数の縦リブは、前記隣接する縦リブ同士の間が等間隔に配置される請求項１〜４のいずれか１項に記載のヘアキャッチャー。
【請求項６】
前記貯水部は、前記排水部の下方に配置され、
前記突出部は、前記排水部の上端から前記貯水部の上部まで延びている請求項１〜５のいずれか１項に記載のヘアキャッチャー。
【発明の詳細な説明】
【技術分野】
【０００１】
本発明は、へアキャッチャーに関する。
【背景技術】
【０００２】
従来、浴室や洗面台の排水トラップには、排水トラップから連続する排水管に髪の毛や小さなゴミ等が流れて排水管が詰まらないように、ヘアキャッチャーが配置されることが知られている。髪の毛は細く長いため、ヘアキャッチャーに絡まったり挟まったりするので、ヘアキャッチャーの清掃や髪の毛の補集に手間がかかることがある。そこで、ヘアキャッチャーに水を溜める貯水部を設けて、貯水部に流入する水を旋回するように水流を生じさせることで、髪の毛をまとめる技術が提案されている（特許文献１参照）。
【０００３】
特許文献１に開示されたヘアキャッチャーでは、ヘアキャッチャーの周囲から流入する水を貯留する貯水部と、貯水部から溢れる水を排水するための開口が設けられた排水部と、貯水部に水を導入するために開口を設けない導水部とが設けられている。
【先行技術文献】
【特許文献】
【０００４】
【特許文献１】特許第４７７７３７４号
【発明の概要】
【発明が解決しようとする課題】
【０００５】
特許文献１に記載の技術では、貯水部に水を導入するために開口を設けない導水部を設ける必要があった。しかし、導水部があることで、ヘアキャッチャーに形成される開口面積が小さくなり、その結果排水性能が低下するという問題があった。一方、開口面積を増やすため、例えばメッシュ形状等の開口を形成すると、貯水部に到達するまでに水が開口から流出してしまい、水位を確保できないため、髪の毛がヘアキャッチャーの内面に貼りついたり絡まったりする場合があった。
【０００６】
本発明は、水位を容易に確保でき、髪の毛をまとめやすいヘアキャッチャーを提供することを目的とする。
を目的とする。
【課題を解決するための手段】
【０００７】
上記目的を達成するため本発明は、周囲から排水口（例えば、後述の洗い場排水口１０１ａ）に向かう水が流入する本体部（例えば、後述の本体部１０）を有するヘアキャッチャー（例えば、後述のヘアキャッチャー１）であって、前記本体部は、該本体部の上方から下方へ延び互いに隣接して設けられる複数の縦リブ（例えば、後述の縦リブ２１）及び該複数の縦リブの間に形成される複数の開口（例えば、後述の排水開口２３）を有する排水部（例えば、後述の排水部２）と、前記本体部に流入した水の一部を貯水する貯水部（例えば、後述の貯水部３）と、を有し、前記縦リブは、所定幅を有し該縦リブの長手方向に沿って延びる平面部（例えば、後述の平面部２１１）及び長手方向に沿って形成され前記本体部の内面側に向かって突出する突出部（例えば、後述の突出部２４）を有するヘアキャッチャーを提供する。
【０００８】
前記突出部は、前記平面部の幅方向の少なくとも一方の端部側に形成されることが好ましい。
【０００９】
前記突出部は、前記平面部から前記本体部の内面側に向かって湾曲しながら突出することが好ましい。
【００１０】
前記縦リブは、前記本体部の周方向の一方側へ傾斜していることが好ましい。
【００１１】
前記複数の縦リブは、前記隣接する縦リブ同士の間が等間隔に配置されることが好ましい。
【００１２】
前記貯水部は、前記排水部の下方に配置され、前記突出部は、前記排水部の上端から前記貯水部の上部まで延びていることが好ましい。
【発明の効果】
【００１３】
本発明によれば、本発明は、水位を容易に確保でき、髪の毛をまとめやすいヘアキャッチャーを提供することができる。
【図面の簡単な説明】
【００１４】
【図１】本実施形態のヘアキャッチャーが設けられる浴室を示す平面図である。
【図２】本実施形態の排水トラップを示す斜視図である。
【図３】本実施形態のヘアキャッチャーを示す斜視図である。
【図４】本実施形態のヘアキャッチャーを示す平面図である。
【図５】本実施形態のヘアキャッチャーを示す側面図である。
【図６】本実施形態のヘアキャッチャーの縦リブを示す断面図であり、（ａ）図は図５のＡ−Ａ線、（ｂ）図は図５のＢ−Ｂ線に沿って切断した断面図である。
【図７】他の実施形態に係るヘアキャッチャーの斜視図である。
【発明を実施するための形態】
【００１５】
以下、本発明の一実施形態について、図面を参照しながら詳細に説明する。
図１は、本実施形態のヘアキャッチャー１が設けられる浴室１００を示す平面図である。浴室１００は、洗い場１０１及び浴槽１０２を有し、それぞれに排水口としての洗い場排水口１０１ａ、浴槽排水口１０２ａが設けられている。
浴槽１０２は、浴室の一方に配置される湯水を貯留可能な容器である。
浴槽排水口１０２ａは、浴槽１０２の底面の最も低い位置に設けられる排水孔であり、浴槽１０２の下部に配置される排水管１０２ｂ（図２参照）に連続している。
【００１６】
図２は、ヘアキャッチャー１が配置される洗い場排水口１０１ａの斜視図である。洗い場排水口１０１ａは、洗い場１０１の浴槽１０２に隣接する側で最も低い位置に設けられ、排水管１０１ｂに連続している。洗い場排水口１０１ａは、排水枡１２０と、排水トラップ１３０とにより構成される。
排水枡１２０は、洗い場１０１の床材が下方に窪んで形成される凹部である。排水枡１２０は、排水管１０１ｂに繋がる底部開口１２１及び、底部開口１２１の周囲に配置されるフランジ部１２２を有する。なお、図示を省略しているが、排水枡１２０は、通常着脱可能な蓋により覆われている。
排水トラップ１３０は、排水枡１２０の下方に連結され、一方が浴槽１０２から延びる排水管１０２ｂに、他方が洗い場排水口１０１ａから延びる排水管１０１ｂに連結される。排水トラップ１３０は、浴槽１０２及び洗い場１０１から排水される水を補集して、洗い場１０１から延びる排水管１０１ｂを通して排水するように構成される。
【００１７】
図３は、ヘアキャッチャー１を示す斜視図であり、図４は、平面図である。へアキャッチャーは、排水枡１２０に設けられる本体部１０と、把手１１と、を有する。
本体部１０は、下方に向けて徐々に縮径し、内側面が段差なく傾斜する略円錐形状で、円錐の頂部が平坦なすり鉢状の形状をしている。本体部１０は、上部に形成される略円形の開口部１０ａ及び開口部１０ａの周縁から下方に延びる係止部１３を有し、排水枡１２０のフランジ部１２２に係止される。本体部１０には、洗い場１０１の周囲から排水枡１２０に向かう水が流入する。
把手１１は、本体部１０の上端から上方に延び、外周方向に屈曲する。
【００１８】
図３及び４に示すように、本体部１０は、貯水部３と、排水部２と、導水部４と、を有する。
貯水部３は、本体部１０の下方に配置され、本体部１０に流入した水の一部を一時的に貯水する部分である。貯水部３は、底面部３１と、側面部３２と、水抜き孔３３と、を有する。
底面部３１は、本体部１０の開口部１０ａに対向する平坦な面であり、上方に配置される開口部１０ａの面積よりも面積が小さい。また、貯水部３において最も面積が小さい。
側面部３２は、底面部３１の周囲と貯水部３の上端とを結ぶ傾斜する面である。
水抜き孔３３は、側面部３２の下端部に互いに対向して２つ設けられる貫通孔である。
【００１９】
排水部２は、本体部１０の上部、すなわち貯水部３の上端と本体部１０の上端との間に配置される。排水部２は、本体部１０上部の側面に沿って形成され、リブ部２０と、複数の開口としての排水開口２３と、を有する。
【００２０】
リブ部２０は、格子状に配置される細枠で形成され、縦リブ２１及び横リブ２２を有する。
【００２１】
横リブ２２は、排水部２の上下方向に間隔を空けて配置される複数のリング状の骨組み部分である。横リブ２２は、平坦な面を有し、この平坦な面が本体部１０の内周面に沿うように配置されている。
【００２２】
縦リブ２１は、縦長の板状の部材であり、所定幅の薄い平面部２１１と、以下に説明する突出部２４とを有する。
縦リブ２１は、排水部２の上方から下方へ延び、互いに隣接して設けられる複数の骨組み部分である。縦リブ２１は、図４に示すように、本体部１０の円周に沿った周方向の一方側に傾斜している。縦リブ２１は、本体部１０の内面を図４の時計回り方向に並んで配置され、水流を旋回する方向Ｓに導いている。また、同時に、縦リブ２１は、本体部１０の中心から延びる半径方向の仮想線（図４の仮想線Ｉ１参照）の一方側に傾斜している。具体的には、縦リブ２１は、本体部１０の上端（排水部２の上端）と貯水部３の上部とを結ぶように直線状に延び、半径方向に対して斜めに傾斜するように配置される。
【００２３】
縦リブ２１は、貯水部３の内面と縦リブ２１の内面とが滑らかに段差なく連続するように配置されている。また、これら複数の縦リブ２１は、本体部１０の内側面全体に形成され、互いに等間隔に配置されている。すなわち、本体部１０が下方に向かって徐々に縮径しているため、縦リブ２１は、本体部１０（排水部２）の上端側では、互いに隣接する縦リブ２１同士の間隔が広くなり、貯水部３の上端側では、互いに隣接する縦リブ２１同士の間隔が狭くなると同時に、隣接する縦リブ同士の間隔は、周方向に沿って均等になるように配置されている。
【００２４】
縦リブ２１は、貯水部３に連結される部分においては、縦リブ２１が延びる方向に沿って貯水部３と段差がないように形成されている。
【００２５】
図５はヘアキャッチャー１を示す側面図である。図６（ａ）は図５のＡ−Ａ線断面図であり、横リブ２２がある位置で切断した断面である。図６（ｂ）は図５のＢ−Ｂ線断面図であり、横リブ２２のない位置で切断した断面である。
【００２６】
図３、４及び図６（ａ）、図６（ｂ）に示すように、突出部２４は、縦リブ２１の長手方向に沿って本体部１０の内面側に突出する突部である。突出部２４は、縦リブ２１の幅方向の長さよりも短い長さで内面側へ突出する。突出部２４は、縦リブ２１の平面部２１１から本体部１０の内面側に向かって湾曲しながら突出する。
突出部２４は、縦リブ２１の幅方向の一方の端部に配置され、水流の旋回する方向Ｓにおける遠心方向外側（旋回する方向Ｓの下流側）の縁部に沿って配置される。
突出部２４は、排水部２の上端から貯水部３の上部まで連続して延びる。より詳細には、図３に示すように、突出部２４は、排水部２の最も貯水部３側の排水開口２３の下端部よりもわずかに下方に延出するように形成されている。また、突出部２４は、本体部１０の上端（排水部２の上端）にある横リブ２２まで延出しており、本体部１０の上端を超えない位置に形成される。
【００２７】
排水開口２３は、リブ部２０の間に形成される複数の開口である。排水開口２３を通じて、洗い場１０１に排水された水が本体部１０の内側に流入するとともに、本体部１０側から外側へ流出する。
【００２８】
導水部４は、図３及び図５に示すように、本体部１０の外面側で、排水部２と貯水部３の間の境界近傍に設けられる。詳細には、導水部４は、本体部１０の外面における貯水部３の上端に対応する位置に設けられる。導水部４が設けられる部分に対応する本体部１０の内面は、滑らかに段差なく形成されている。導水部４は、受け面４１と、連結部４２と、導水開口４３と、を有する。
【００２９】
受け面４１は、本体部１０の外面で貯水部３の上端に対応する位置から外側に突出する凸部であり、貯水部３の外側に本体部１０の外周方向に沿って設けられる。受け面４１は、略水平方向に突出する。
【００３０】
連結部４２は、図５に示すように、受け面４１と本体部１０の外面とを繋ぐ略三角形の部分である。連結部４２は、三角形の傾斜する一方の辺が本体部１０の外面、すなわち縦リブ２１の外面側に連続し、他方の辺が受け面４１に連続し、受け面４１側の辺の遠位端部と縦リブ側の辺の遠位端部とを結ぶ辺が三角形の底辺となっている。この底辺（受け面４１の遠位端部から縦リブ２１の外面へ延びる辺）と、縦リブ２１の外面とがなす角度は、鈍角θである。
【００３１】
導水開口４３は、受け面４１上で隣り合う縦リブ２１と縦リブ２１との間に形成される空間であり、排水開口２３に連続している。
【００３２】
次に、以上のヘアキャッチャー１の使用の状態について説明する。
浴室１００の洗い場１０１で湯水を使い、例えば洗髪をすると、抜けた髪の毛が水流とともに洗い場排水口１０１ａに向けて流れてくる。水は、洗い場の最も低い位置に配置される排水枡１２０へ集まり、排水枡１２０の底部開口１２１へと落ちていく。排水枡１２０の底部開口１２１には、その周囲のフランジ部１２２に係止されてヘアキャッチャー１が、配置されている。流れ落ちた水の一部は、排水部２の排水開口２３を通ってさらに下方の排水トラップ１３０へ落ち、排水管１０１ｂを通じて排水される。
【００３３】
洗い場１０１で洗い場排水口１０１ａに向かう水の一部は、ヘアキャッチャー１の本体部１０に流入する。この時、排水枡１２０に流入する水が所定量あれば、縦リブ２１が本体部１０の内面を下方向に対して片側に傾斜しているので、本体部１０に流入した水の一部は、縦リブ２１に誘導されてヘアキャッチャー１内を旋回する方向Ｓに流れる。
【００３４】
縦リブ２１には本体部１０の内面側に向かって突出する突出部２４が設けられている。このため、髪の毛が、複数形成され互いに隣接する縦リブ２１の突出部２４の上にそれぞれ載ることで、髪の毛と縦リブ２１の平面部２１１との間に隙間が形成される。この隙間に水流が流れ込み、髪の毛を本体部１０の内面から浮かせる。縦リブ２１は、互いに等間隔に配置されているので、髪の毛がどの排水開口２３から流入しても、本体部１０の開口部１０ａのどの位置から流入しても、本体部１０の内面に貼りつきにくく、同じように旋回する。
【００３５】
突出部２４が本体部１０の内面側に向かって突出し、かつ貯水部３の上部へ連続しているため、水は縦リブ２１を乗り越えずに、縦リブ２１に沿って流れる。縦リブ２１に沿って流れる水は、排水部２の外へ流れにくく、本体部１０の内側、すなわち下方の貯水部３へ流れやすい。上述の通り、縦リブ２１は周方向の一方側に傾斜しているので、縦リブ２１に沿って水は旋回する方向Ｓへ流れる。なお、突出部２４は、平面部２１１から本体部１０の内側に向かって緩く湾曲しているので、汚れを落としやすい。
【００３６】
排水部２と貯水部３の間で導水部４が設けられる部分に対応する本体部１０の内面には、段差がないので、髪の毛が引っかかることなく水流に乗って旋回しながら流れる。
【００３７】
一方、排水部２には排水開口２３が設けられているので、本体部１０に流入した水の多くは、排水開口２３から本体部１０の外側へ排水される。そして、水は本体部１０の外面に沿って下方へ流れ落ちる。本体部１０の外面における排水部２と貯水部３との間には、外面から突出する導水部４の受け面４１が設けられている。本体部１０の外面を伝う水の一部は、受け面４１に受け止められて導水開口４３へ誘導され、本体部１０の内側へ導水される。導水開口４３は排水開口２３と連続しているので、水は排水部２の下方にある貯水部３に流入する。貯水部３に流入する水量は、導水部４を設けない場合と比べて増加する。
【００３８】
導水部４から貯水部３へと水が流入する際、導水開口４３から排水開口２３を通じて外側から内側へ水が流入する。排水開口２３は隣接する縦リブ２１と縦リブ２１との間にあり、水は一方向に傾斜している縦リブ２１同士の間の排水開口２３を通るうちに、旋回流になって貯水部３に流れ込む。導水部４から導水された水が旋回する方向Ｓと、排水部２の内面に形成されている縦リブ２１の傾斜によって生じる水の旋回する方向Ｓは同じであるので、導水部４から流れ込む水が、縦リブ２１を伝って貯水部３へ流れる旋回流に合流して、旋回流の流れがより強い渦になる。
【００３９】
導水部４は、排水部２の下端部側に配置されているので、水は、排水部２の下端部の外側から内側に流入し、そのまま貯水部３を流れて貯水される。導水部４を排水部２の上方に設ける場合と比べて、排水部２の下端部側に配置されていることで、一旦本体部１０の外側から内側へ導水部４を介して流入した水が、再度排水部２から外側へ抜けることがないので、効率的に水が貯水部３に貯水される。
【００４０】
受け面４１と、縦リブ２１の外側との間には連結部４２が形成され、縦リブ２１の外面と受け面４１の間を連結部４２が埋めており、無用な隙間が形成されていない。連結部４２における受け面４１の遠位端部から縦リブ２１の外面へ延びる辺と、縦リブ２１の外面とがなす角度は、鈍角θで、外側から拭きやすくなっている。
【００４１】
なお、貯水部３には、水抜き孔３３が設けられているので、浴室１００を使用していない間は、貯水部３の水も排水される。
【００４２】
本実施形態によれば、以下の効果が奏される。
本実施形態によれば、ヘアキャッチャー１を、周囲から洗い場排水口１０１ａに向かう水が流入する本体部１０を含んで構成した。また、本体部１０を、本体部１０の上方から下方へ延び互いに隣接して設けられる複数の縦リブ２１及び複数の縦リブ２１の間に形成される複数の排水開口２３を有する排水部２と、本体部１０に流入した水の一部を貯水する貯水部３と、を含んで構成し、縦リブ２１を、所定幅を有し縦リブ２１の長手方向に沿って延びる平面部２１１及び長手方向に沿って形成され本体部１０の内面側に向かって突出する突出部２４を含んで構成した。
【００４３】
本実施形態によれば、ヘアキャッチャー１の本体部１０内に流入する水が、縦リブ２１に案内されるため、貯水部３に導かれやすくなる。そして、複数形成されている縦リブ２１のそれぞれに、本体部１０の内面側に向かって突出する突出部２４が形成されているので、縦リブ２１に沿って流れる水が突出部２４で堰き止められて、突出部２４に沿って貯水部３へと流れる。このため、突出部２４を設けることで、縦リブ２１から貯水部３に流れる水量を確保することができ、貯水部３の水位を容易に確保することができる。
さらに、髪の毛が、突出部２４の上にそれぞれ載り、髪の毛と平面部２１１との間に隙間が形成される。この隙間に水流が流れ込むので、髪の毛が本体部１０の内面からに剥がれやすくなる。よって、髪の毛を本体部１０の内面に貼りつかせることなく容易にまとめることができる。
【００４４】
本実施形態によれば、突出部２４を、平面部２１１の幅方向の少なくとも一方の端部側に形成した。これにより、縦リブ２１を乗り越えようとする水をせき止め、縦リブ２１に沿って流れるように誘導することができる。このため、縦リブ２１の配置によって、旋回流を生じやすくするようにすることができる。
【００４５】
本実施形態によれば、突出部２４を、平面部２１１から本体部１０の内面側に向かって湾曲しながら突出させた。これにより、平面部２１１と突出部２４との角に水垢等がこびりつくことを防止でき、本体部１０の内面を拭いたりブラシ等で掃除する際にスムーズに汚れを落とすことができる。
【００４６】
本実施形態によれば、縦リブ２１を、本体部１０の周方向の一方側へ傾斜させた。縦リブ２１の傾斜によって、水流が本体部１０内で旋回する方向Ｓに誘導されるので、水流に旋回流が生じる。このため、水流に含まれている髪の毛が旋回し、まとまりやすくなる。
【００４７】
本実施形態によれば、複数の縦リブ２１を、隣接する縦リブ２１同士の間が等間隔になるように配置した。これにより、髪の毛が本体部１０や排水部２のどの位置から流れて流入してきても、縦リブ２１同士が等間隔に配置されているので、いずれかの縦リブの突出部２４の上に載って、本体部１０の内面に貼りつきにくくなる。
【００４８】
本実施形態によれば、貯水部３を、排水部２の下方に配置し、突出部２４を、排水部２の上端から貯水部３の上部まで延びるように構成した。これにより、より排水部２から水を貯水部３へ導きやすくなる。
【００４９】
なお、本発明は上記実施形態に限定されるものではなく、本発明の目的を達成できる範囲での変形、改良等は本発明に含まれる。
図７は、他の実施形態におけるヘアキャッチャー１Ｂの斜視図を示す。図７に示すように、他の実施形態では、縦リブ２１Ｂを、下方の端部と上方の端部の位置が、本体部１０の径方向に沿う直線上の仮想線Ｉ２に沿うように設けてもよい。図７の実施形態によっても、水が縦リブ２１Ｂに堰き止められて突出部２４Ｂに沿って流れるので、貯水部３の水位を容易に確保でき、髪の毛をまとめやすくすることができる。
【００５０】
また、上記実施形態では、突出部２４は、縦リブ２１の幅方向の一方の端部に形成したが、これに限られない。突出部は、縦リブ２１の幅方向の中央部に形成してもよく、両端部に形成してもよい。両端部に形成した場合には、縦リブ２１に沿って貯水部３へ流れる水量を増やすことができる。
【００５１】
また、上記実施形態では、導水部４を本体部１０の外面に沿って全周に突出するように設けたが、これに限られない。導水部は、水を本体部１０の外側から内側へ導入できればよく、例えば、周方向に沿って断続的に設けてもよい。また、本体部１０の上下方向に離間している横リブ２２のそれぞれに連続するように上下に複数設けてもよい。
【００５２】
また、上記実施形態では、受け面は、本体部１０の外面から略水平方向外側へ突出しているが、これに限られない。受け面４１は、本体部１０の外側上方から内側下方へ向かって下り傾斜するように配置してもよい。
【００５３】
また、上記実施形態では、縦リブ２１は直線状に延びているが、これに限られない。縦リブは、本体部１０の周方向に沿って曲線状に並んでいてもよい。
また、上記実施形態では、本体部１０は、略円形状の開口部１０ａを有する略円錐状に形成されているが、これに限られない。水を流入可能に構成され、排水部及び貯水部を有するものであれば、開口部や全体の形状は適宜変更され得る。
【符号の説明】
【００５４】
１      ヘアキャッチャー
２      排水部
３      貯水部
１０    本体部
２１    縦リブ
２３    排水開口（開口）
２４    突出部
１０１ａ  洗い場排水口（排水口）
２１１  平面部
【図１】
2018053693.tif 000003
【図２】
2018053693.tif 000004
【図３】
2018053693.tif 000005
【図４】
2018053693.tif 000006
【図５】
2018053693.tif 000007
【図６】
2018053693.tif 000008
【図７】
2018053693.tif 000009